(57)【要約】【課題】緊急時に常備しやすい膨張式救命具を提供する。【解決手段】ケース１と浮き袋２と取付け具とを有する。浮き袋２は落水時に膨張可能であってケース１の内部に収容される。取付け具はケース１に設けられてベルト・パイプを主とする人体以外の、人が持ち歩く物に装着可能である。浮き袋２は内部が仕切りで分割されている。浮き袋２は２以上の気室に分離可能である。浮き袋２にガスを注入するためのガス注入管を有する。ガス注入管はガスを吹き込むとき警報音を発する呼び笛を兼ねる。【選択図】図１
0003204789.tif 000002
【実用新案登録請求の範囲】
【請求項１】
ケースと浮き袋と取付け具とを有し、前記浮き袋は落水時に膨張可能であって前記ケースの内部に収容され、前記取付け具は前記ケースに設けられてベルト・パイプを主とする人体以外の、人が持ち歩く物に装着可能な構成を有することを、特徴とする膨張式救命具。
【請求項２】
前記浮き袋は内部が仕切りで分割されていることを、特徴とする請求項１記載の膨張式救命具。
【請求項３】
前記浮き袋は２以上の気室に分離可能な構成を有することを、特徴とする請求項１または２記載の膨張式救命具。
【請求項４】
前記浮き袋にガスを注入するためのガス注入管を有し、前記ガス注入管はガスを吹き込むとき警報音を発する呼び笛を兼ねることを、特徴とする請求項１，２または３記載の膨張式救命具。
【考案の詳細な説明】
【技術分野】
【０００１】
本考案は、水に落ちたとき、自動的に膨張して浮き袋となる膨張式救命具に関する。
【背景技術】
【０００２】
膨張式救命具には、首にかけられるタイプのものと、胴に巻かれるタイプのものとがある。いずれも、落水時に袋体の内部にボンベから気体が送り込まれ、袋体が膨張して浮き袋となる（例えば特許文献１参照）。
【先行技術文献】
【特許文献】
【０００３】
【特許文献１】特開２００８−１７９２６８号公報
【考案の概要】
【考案が解決しようとする課題】
【０００４】
しかしながら、特許文献１の膨張式救命具のように人体へ直接装着する救命具は、日常生活に於いて装備する習慣が定着していないことから、緊急時に持ち合わせていないという課題があった。
【０００５】
本考案は、このような課題に着目してなされたもので、緊急時に常備しやすい膨張式救命具を提供することを目的とする。
【課題を解決するための手段】
【０００６】
上記目的を達成するために、本考案に係る膨張式救命具は、ケースと浮き袋と取付け具とを有し、前記浮き袋は落水時に膨張可能であって前記ケースの内部に収容され、前記取付け具は前記ケースに設けられてベルト・パイプを主とする人体以外の、人が持ち歩く物に装着可能な構成を有することを、特徴とする。
【０００７】
本考案に係る膨張式救命具は、取付け具によりベルト、パイプまたはその他の物に取り付けることができるので、ランドセルやバッグ、自転車のパイプなどに取り付けて常備しやすい。浮き袋は落水時に膨張し、救命具として機能する。
【０００８】
本考案に係る膨張式救命具において、前記浮き袋は内部が仕切りで分割されていることが好ましい。
この場合、浮き袋は一部が破れたとしても、内部が仕切りで分割されているため、全体のガスが抜けるのを防、浮き袋としての機能を維持することができる。
【０００９】
本考案に係る膨張式救命具において、前記浮き袋は２以上の気室に分離可能な構成を有することが好ましい。
この場合、浮き袋を２以上の気室に分離して、２人以上の救命に利用することができる。
【００１０】
本考案に係る膨張式救命具は、前記浮き袋にガスを吹き込むためのガス注入管を有し、前記ガス注入管はガスを吹き込むとき警報音を発する呼び笛を兼ねることが好ましい。
この場合、ガス注入管により浮き袋にガスを吹き込んで、浮力を高めるとともに浮力時間を延ばすことができる。また、ガス注入管を呼び笛として利用して、救助を求めることができる。
【考案の効果】
【００１１】
本考案によれば、緊急時に常備しやすい膨張式救命具を提供することができる。
【図面の簡単な説明】
【００１２】
【図１】本考案の実施の形態の膨張式救命具の（Ａ）ランドセルに装着した状態を示す斜視図、（Ｂ）ランドセルに装着して膨張させた状態を示す斜視図である。
【図２】図１の膨張式救命具の（Ａ）浮き袋を収納した状態を示す斜視図、（Ｂ）浮き袋を膨張させた状態を示す斜視図である。
【図３】図１の膨張式救命具の取付け具を示す分解斜視図である。
【図４】図１の膨張式救命具のケースを取付け具に取り付ける状態を示す斜視図である。
【図５】図１の膨張式救命具のケースの取付け具へのロック方法を示す（Ａ）スライド状態の側面図、（Ｂ）ロック状態を示す側面図、（Ｃ）ロック機構の第１段階を示す側面図、（Ｄ）ロック機構の第２段階を示す側面図、（Ｅ）ロック機構の第３段階を示す側面図である。
【図６】図１の膨張式救命具のケースを取付け具に取り付けた状態を示す斜視図である。
【図７】図１の膨張式救命具の（Ａ）他の取付け具を示す分解斜視図、（Ｂ）他の取付け具をパイプに取り付けた状態を示す斜視図、（Ｃ）ケースを他の取付け具に取り付けた状態を示す斜視図である。
【図８】図１の膨張式救命具の浮き袋を膨張させるための膨張装置を示す斜視図である。
【図９】図１の膨張式救命具の炭酸ボンベの（Ａ）通常時の側面図、（Ｂ）浸水作動時の側面図である。
【図１０】図１の膨張式救命具の浮き袋の内部を示す斜視図である。
【図１１】図１の膨張式救命具の浮き袋の（Ａ）通常時の断面図、（Ｂ）膨張時の断面図である。
【図１２】図１の膨張式救命具のガス注入管を示す斜視図である。
【考案を実施するための形態】
【００１３】
以下、図面に基づき本考案の実施の形態について説明する。
図１および図２に示すように、本考案の実施の形態の膨張式救命具は、ケース１と浮き袋２と取付け具３とを有している。浮き袋２は、落水時に膨張可能であってケース１の内部に収容されている。取付け具３は、ケース１に設けられてランドセルなどのベルトＡ、自転車などのパイプＢを主とする人体以外の、人が持ち歩く物に装着可能となっている。
【００１４】
図３に示すように、取付け具３は、固定具上部３１と固定具下部３２と補強金具３３とを有し、固定具上部３１と固定具下部３２との間にベルトＡを挟み、固定具上部３１および固定具下部３２を貫通する補強金具３３に留め具ネジ３４を螺合させてベルトＡに取付け可能となっている。
【００１５】
図４に示すように、固定具上部３１の上側には溝３５が設けられ、ケース１の下部には溝３５に挿入されるスライドレール１１が設けられている。図５（Ａ）、（Ｂ）に示すように、ケース１を固定具上部３１に対してスライドさせて固定することができる。スライドレール１１には側部に貫通孔１２が設けられており、図５（Ｃ）〜（Ｅ）に示すようにコイルバネ３６で付勢されたロックピン３７が貫通孔１２に挿入されることにより、図６に示すように固定される。
【００１６】
膨張式救命具をパイプＢに取り付ける場合には、取付け具として、図７に示すように、固定具上部３１とともに、パイプ用アタッチメント上部３８とパイプ用アタッチメント下部３９とパイプ用補強金具４０とを使用する。パイプ用アタッチメント上部３８とパイプ用アタッチメント下部３９との間に自転車などのパイプＢを挟み、パイプ用アタッチメント上部３８およびパイプ用アタッチメント下部３９を貫通するパイプ用補強金具４０に留め具ネジ４１を螺合させてパイプＢに取付け可能となっている。
【００１７】
膨張式救命具は、取付け具によりベルトＡ、パイプＢまたはその他の物に取り付けることができるので、ランドセルやバッグ、自転車のパイプＢなどに取り付けて緊急時に常備しやすい。浮き袋２は落水時に膨張し、救命具として機能する。
【００１８】
図８および図９に示すように、膨張式救命具は、膨張装置２０の水感知溝４２に水が入ると、押し出しバネ４３が伸び、スプール４４が作動して押し出しピン４５を動かし、炭酸ボンベ４６および小型炭酸ボンベ４７から気体充填口４８を通して浮き袋２にガスを送るようになっている。このように、１つの押し出しバネ４３および１つのスプール４４で炭酸ボンベ４６および小型炭酸ボンベ４７を開放することができる。
【００１９】
図１０に示すように、浮き袋２は、機密性のある仕切り４９により分割された２つの気室５０，５１に分かれている。２つの気体充填口４８から２つ気体充填管５２を通して２つの気室５０，５１にガスが充填され、浮き袋２は膨張する。浮き袋２は、２つの気室５０，５１を備えているため、万が一、一部が破れた場合でも、全体のガスが抜けるのを防ぎ、浮き袋としての機能を維持することができる。
【００２０】
浮き袋２は、仕切り４９を面ファスナーにより分離可能にして２つの気室５０，５１に分離可能にしてもよい。この場合、気室５０，５１を分離させて、救命具を持っていない子供などを救助することができる。
【００２１】
図１１に示すように、浮き袋２は膨張したとき、ケース１の下皿１３が膨張装置確認窓１４から離れ、スイッチピン１５のスイッチがオンになって乾電池の通電装置１６が断電状態から通電状態となり、救難音及び救難灯装置１７が作動する。
図２に示すように、膨張式救命具には、歩行用携帯防犯カメラ１８、救命灯装置（救命ライト、兼、夜間ライト）１９および救命音装置（救命ブザー、兼、防犯ブザー）２１が設けられている。
【００２２】
膨張式救命具の浮き袋２には、側面にガス注入管２２（図１２参照）が設けられている。ガス注入管２２は、浮き袋２の側面に沿って寝かせた状態から起こすことができ、ガス注入口２３から浮き袋２の２つの気室５０，５１にガスを吹き込むことができる。ガス注入管２２には、気体逆流防止弁が設けられており、浮き袋２の内部のガスが排出されないようになっている。
【００２３】
浮き袋２にガスを吹き込む場合には、ガスの振動により音の出る溝２４まで口の中に入れるか、溝２４を指、及び唇で塞ぎ、ガス注入口２２に息を吹き込むようにする。浮き袋２のガスが足りない場合や抜けてきた場合には、ガスを吹き込むことにより浮力を高めるとともに浮力時間を延ばすことができる。溝２４を口から出してガス注入口２２を吹いた場合には、警報音を発する呼び笛として救助を求めることができる。ガス注入管２２は、浮き袋２の側面に設けられていて、探しやすくなっている。
【符号の説明】
【００２４】
Ａ  ベルト
Ｂ  パイプ
１  ケース
２  浮き袋
３  取付け具
１１  スライドレール
１２  貫通孔
１３  下皿
１４  膨張装置確認窓
１５  スイッチピン
１６  通電装置
１７  救難音及び救難灯装置
１８  歩行用携帯防犯カメラ
１９  救命灯装置（救命ライト、兼、夜間ライト）
２０  膨張装置
２１  救命音装置（救命ブザー、兼、防犯ブザー）
２２  ガス注入管
２３  ガス注入口
２４  溝
３１  固定具上部
３２  固定具下部
３３  補強金具
３４  留め具
３５  溝
３６  コイルバネ
３７  ロックピン
３８  パイプ用アタッチメント上部
３９  パイプ用アタッチメント下部
４０  パイプ用補強金具
４１  留め具ネジ
４２  水感知溝
４３  押し出しバネ
４４  スプール
４５  押し出しピン
４６  炭酸ボンベ
４７  小型炭酸ボンベ
４８  気体充填口
４９  仕切り
５０  気室
５１  気室
５２  気体充填管
【図１】
0003204789.tif 000003
【図２】
0003204789.tif 000004
【図３】
0003204789.tif 000005
【図４】
0003204789.tif 000006
【図５】
0003204789.tif 000007
【図６】
0003204789.tif 000008
【図７】
0003204789.tif 000009
【図８】
0003204789.tif 000010
【図９】
0003204789.tif 000011
【図１０】
0003204789.tif 000012
【図１１】
0003204789.tif 000013
【図１２】
0003204789.tif 000014